(57)【要約】本発明は、防水性履物及びその作成方法に関する。該履物は、少なくとも防水性で、透湿性の機能層と、外層とを有し、シュトローベルボードに縫合されている積層アッパーを含み、閉じたアッパーを形成する。防水性ガスケット材料は、該閉じたアッパーの底部の内部表面に接着されている。
2006514875.tif 000002
【特許請求の範囲】
【請求項１】
少なくとも防水性で、透湿性の機能層と、外層とを有し、シュトローベルボードに縫合されており、内部表面、外部表面、上部開口部、及び閉じた底部を有する閉じたアッパーを形成する積層アッパー；及び
該閉じたアッパーの該閉じた底部の該内部表面に接着されている防水性ガスケット材料、
を含む防水性履物。
【請求項２】
外底が、該閉じたアッパーの該閉じた底部の該外部表面に取付けられている、請求項１に記載の防水性履物。
【請求項３】
該防水性ガスケット材料が、ポリウレタン、天然ラテックスゴム、ニトリルゴム、シリコーンゴム、ブチルゴム、フッ素化ゴム、コポリエーテルポリエステル、ポリエステル、エチレンビニルアセテート、及びポリアミドから成る群から選択される接着剤を利用して、該閉じたアッパーの該閉じた底部に接着されている、請求項１に記載の防水性履物。
【請求項４】
該閉じたアッパーの該内部表面が、内部ライナー材料をさらに備えている、請求項１に記載の防水性履物。
【請求項５】
該内部ライナー材料が、織構造、ニット構造、メッシュ構造、不織構造、及びフェルト構造からなる群から選択される布地の布帛を少なくとも含む、請求項４に記載の防水性履物。
【請求項６】
該布地の布帛が、綿、ポリエステル類、ポリアミド類、ポリプロピレン類、ポリオレフィン類、及びそれらのブレンド類から成る群から選択される材料を少なくとも含む、請求項５に記載の防水性履物。
【請求項７】
該防水性で、透湿性である該積層アッパーの機能層が、少なくともポリマー膜を含む、請求項１に記載の防水性履物。
【請求項８】
該ポリマー膜が、フルオロポリマー類、ポリウレタン類、ポリエステル類、ポリエーテル類、ポリアミド類、ポリアクリレート類、コポリエーテル系エステル類、及びコポリエーテルアミド類から成る群から選択される、請求項７に記載の防水性履物。
【請求項９】
該フルオロポリマーが、延伸ポリテトラフルオロエチレンである、請求項８に記載の防水性履物。
【請求項１０】
該積層アッパーの該外層が、皮革を含む、請求項１に記載の防水性履物。
【請求項１１】
該積層アッパーの該外層が、織構造、ニット構造、メッシュ構造、不織構造、及びフェルト構造から成る群から選択される布地の布帛を含む、請求項１に記載の防水性履物。
【請求項１２】
該布地の布帛が、綿、ポリエステル類、ポリアミド類、ポリプロピレン類、ポリオレフィン類、及びそれらのブレンド類から成る群から選択される材料を含む、請求項１１に記載の防水性履物。
【請求項１３】
該防水性ガスケット材料が、ポリマー含有材料、防水性布帛、及び防水処理された布地材から成る群から選択される材料である、請求項１に記載の防水性履物。
【請求項１４】
少なくとも防水性で、透湿性の機能層及び外層を有する積層アッパーを、シュトローベルボードに縫合し、内部表面、外部表面、上部開口部、及び閉じた底部を有する閉じたアッパーを形成すること；そして
該閉じたアッパーの該閉じた底部の該内部表面に、防水性ガスケット材料を接着すること、
を含む、防水性履物を作成する方法。
【請求項１５】
外底を、該閉じたアッパーの該閉じた底部の該外部表面に取付ける、請求項１４に記載の方法。
【請求項１６】
該防水性ガスケット材料を、ポリウレタン、天然ラテックスゴム、ニトリルゴム、シリコーンゴム、ブチルゴム、フッ素化ゴム、コポリエーテルポリエステル、ポリエステル、エチレンビニルアセテート、及びポリアミドから成る群から選択される接着剤を利用して、該閉じたアッパーの該閉じた底部に接着する、請求項１４に記載の方法。
【請求項１７】
内部ライナー材料を、該閉じたアッパーの該内部表面に取り付ける、請求項１４に記載の方法。
【請求項１８】
該内部ライナー材料が、織構造、ニット構造、メッシュ構造、不織構造、及びフェルト構造からなる群から選択される布地の布帛を少なくとも含む、請求項１７に記載の方法。
【請求項１９】
該布地の布帛が、綿、ポリエステル類、ポリアミド類、ポリプロピレン類、ポリオレフィン類、及びそれらのブレンド類から成る群から選択される材料を少なくとも含む、請求項１８に記載の方法。
【請求項２０】
該防水性で、透湿性である該積層アッパーの機能層が、少なくともポリマー膜を含む、請求項１４に記載の方法。
【請求項２１】
該ポリマー膜が、フルオロポリマー類、ポリウレタン類、ポリエステル類、ポリエーテル類、ポリアミド類、ポリアクリレート類、コポリエーテルエステル類、及びコポリエーテルアミド類から成る群から選択される、請求項２０に記載の方法。
【請求項２２】
該フルオロポリマーが、延伸ポリテトラフルオロエチレンである、請求項２１に記載の方法。
【請求項２３】
該積層アッパーの該外層が、皮革を含む、請求項１４に記載の方法。
【請求項２４】
該積層アッパーの該外層が、織構造、ニット構造、メッシュ構造、不織構造、及びフェルト構造から成る群から選択される布地の布帛を含む、請求項１４に記載の方法。
【請求項２５】
該布地の布帛が、綿、ポリエステル類、ポリアミド類、ポリプロピレン類、ポリオレフィン類、及びそれらのブレンド類から成る群から選択される材料を含む、請求項２４に記載の方法。
【請求項２６】
該防水性ガスケット材料が、ポリマー含有材料、防水性布帛、及び防水性処理された繊維材料から成る群から選択される材料である、請求項１４に記載の方法。
【発明の詳細な説明】
【技術分野】
【０００１】
本発明は、防水性履物及びその作成方法に関する。
【背景技術】
【０００２】
一般の履物構成物類（ブーツ類又は靴類の中で用いられる履物構成物等）は、履く者の足と、該履物の外側部分との間のライニングの一部として、液体に対する防水性を有するが、透湿性（すなわち、通気性）である層を含む防水性構成物を用いている。該防水性で、透湿性の材料は、「機能層」として当業者に注目されている。該機能層は、防水性で、通気性の布帛と称される多層化ライニング布帛内に組込まれている。防水性で、通気性の布帛パネル類は、通常、縫合され、そして継ぎ目のところで、密封され、該履物内に防水性ライナーを形成する。先行技術の実施形態のひとつで、そのような防水性ライナーを、ブーティと称し、該防水性で、通気性の布帛が、基本的に当該足を完全に囲んでいる。ブーティの他に、防水性で、通気性の非ブーティ型布帛ライナー構成物も存在し、ここでは、該ブーティ内のように足の下に完全に広がる該布帛を有するよりはむしろ、該ライニング布帛が、ソール領域内で他の防水性材料に密封されている。どちらの場合にも、該防水性で、通気性のライナーを形成する該布帛パネル類は、該履物アッパーの内部表面と接する該布帛パネルの外側の布地層と共に、普通は、該履物のインテリア部分となる。該履物アッパーは、通常、皮革、布帛類等から構成され、さらに、はとめ類、ヒール・カウンター類、スチール・セーフティ・トウ類、トウ・キャップ類等の構成部品類を含む。
【０００３】
該ライナーの該防水性で、通気性の布帛パネル類を、複数層（種々の層は、耐久性、防水性、ファッションアピール等の種々の機能類を提供することができる）で構成する。該ライナー類の該パネル用の材料の作成において、機能性薄層が、一般的に１層以上の布帛層に積層され、そして多くの場合布帛層類相互間に積層される。布帛上の薄い被膜類が、膜の代わりに、該機能層として用いられる時がある。典型的には、該防水性層は、薄く、かつもろい。したがって、それは、少なくとも最も外側の防護布帛層であって、該機能性薄層及び該履物アッパーの間の耐摩耗性及び耐久性を付与するために設計されたものと共に、通常、供給されている。
【０００４】
上述の履物構成物類は、作成上の問題点をいくつかもたらすこととなる。例えば、少なくとも該積層の該最も外側の布帛を、該シューアッパーの該内部表面に取り付けなければならないことが挙げられる（例えば、縫合、接着等）。もちろん、これは、該履物を作成する既に労働集約型となっているプロセスに、追加の製作段階を導入する必要がある。さらに、該アッパーを、該積層の該最も外側の布帛に取付けることは、該履物が役に立たない他の領域を提供することにもなる。例えば、該積層を、該アッパーに取付けることは、該履物の使用の過程に役に立たないかもしれない。さらに、該履物中に、該防水性で、通気性の布帛パネルを包含させることは、サイズ上の問題を起こす可能性がある（すなわち、該履物を構成するために用いる方法にもよるが、防水性で、通気性の布帛パネルの利用によって、オリジナルのサイズより幾分小さい靴となる原因となりうる）。したがって、耐久性の、防水性履物の作成の中に問題点があることを、充分に理解することができる。
【発明の開示】
【発明が解決しようとする課題】
【０００５】
本発明は、簡便に、最小段階数で作成される、耐久性で、防水性の履物を提供する履物の作成方法及び履物を提供するものである。さらに、本発明の該履物は、「縫合される」構成物のタイプに属するので、不経済であり、時間がかかるラスティング装置（防水性履物の製造を図るために、一般的に用いられる）を用いる必要性がない。
【課題を解決するための手段】
【０００６】
本発明は、縫合タイプ（例えば、シュトローベル（ｓｔｒｏｂｅｌ）縫合タイプ）の新規な防水性履物構成物及びその作成方法に関するものである。
該履物は、少なくとも防水性で、透湿性の機能層と、それらに積層される外層とを含む積層アッパーを含む。該アッパーは、シュトローベルボードに縫合されており、内部表面、外部表面、上部開口部、及び閉じた底部を有する閉じたアッパーを形成する。防水性ガスケット材料が、該閉じたアッパーの該閉じた底部の該内部表面に接着されており、該シュトローベルボード、該縫合部及び該アッパーの少なくとも周縁エッジ部をカバーする。
【０００７】
該新規な履物の形成方法は、少なくとも防水性で、透湿性の機能層及び外層を有する積層アッパーの形に形成させることを含む。該アッパーをシュトローベルボードに縫合して、内部表面、外部表面、上部開口部、及び閉じた底部を有する閉じたアッパーを形成する。そして、該閉じたアッパーの該閉じた底部の該内部表面に、防水性ガスケット材料を接着し、その結果該防水性ガスケット材料が、該シュトローベルボード、該縫合部及び少なくとも該アッパーの周縁エッジ部をカバーすることとなる。
【発明を実施するための最良の形態】
【０００８】
本発明の該新規な履物は、少なくとも防水性で、透湿性の機能層及びそれらに積層される外層を含む積層アッパーを含む。該アッパーは、シュトローベルボードに縫合されており、内部表面、外部表面、上部開口部、及び閉じた底部を有する閉じたアッパーを形成する。
【０００９】
本発明は、非限定的な図に関連して、最も良く説明することができる。図１は、本発明に従う閉じたアッパーの断面図である。履物１は、縫合部４によって、シュトローベルボード３に縫合されている積層アッパー２を含んでいる。図３を参照すると、積層アッパー２が、周縁エッジ部を形成する該閉じたアッパーの該底部の下に、幾分拡張されていることを観察することができる。
【００１０】
図２を参照すると、該閉じたアッパーの該閉じた底部の該内部表面に接着された防水性ガスケット材料６が示されており、該シュトローベルボード３の該内部表面と、該縫合部４と、該アッパー２の該周縁エッジ部の少なくとも一部とをカバーしている。図４は、該履物の上面図であり、防水性ガスケット材料６が、該シュトローベルボード３と、該縫合部４と、該アッパー２の該周縁エッジ部とをカバーしていることを観察することができる。
【００１１】
該積層アッパーは、２層以上を含む。ひとつの層は、通気性ポリマー膜等の防水性で、透湿性の機能層である。本明細書で用いる場合、「透湿性」及び「通気性」は、同義的に用いられ、そして水蒸気係数Ｒｅｔが、２００ｍ2ＰａＷ-1未満である機能層を意味する。該透湿性は、ホーエンシュタインスキンモデルによって、試験される。該試験方法は、ＤＩＮ  ＥＮ  ３１０９２（０２／９４）又はＩＳＯ  １１０９２（１９／３３）に記述されている。通気性ポリマー膜類は、溶液拡散メカニズムを介するか、又は該通気性ポリマー中の孔の効果によって通気性を確保することができる。通気性ポリマー膜類を、フルオロポリマー類、ポリウレタン類、ポリエステル類、ポリエーテル類、ポリアミド類、ポリアクリレート類、コポリエーテルエステル（ｃｏｐｏｌｙｅｔｈｅｒ  ｅｓｔｅｒ）並びにコポリエーテルアミド（ｃｏｐｏｌｙｅｔｅｒ  ａｍｉｄｅ）等から成る群から選択することができる。本発明の態様では、不透水性で、通気性のポリマー膜は、米国特許第３，９５３、５６６号及び４，１８７、３９０号明細書（ゴア）等に教示されるような、微孔質のポリテトラフルオロエチレン（ＰＴＦＥ）膜（延伸ＰＴＦＥ膜等）である。これら特許の対象を参照することによって、本明細書に組込む。
【００１２】
該積層アッパーの該第２の層が、該機能層に積層され、該履物の該外層としてはたらく。好適な接着剤を不連続パターンとして用いて、一般的に積層を形成する。したがって、透湿性は、重大な影響を受けない。該外層は、布地の布帛又は皮革であることができる。布地の布帛類は、織物、ニット、メッシュ、不織布、フェルト構成物類等であることができる。布地類を、天然繊維類（綿等）、又は合成繊維類（ポリエステル類、ポリアミド類、ポリプロピレン類、ポリオレフィン類、又はそれらのブレンド類等）から製造することができる。該外層は、相対的に耐久性で、耐摩耗性があり、そして見て美しい外観を付与する。
【００１３】
アッパーの形に該積層を形成するように、該積層材料のパネル類を切断し、所望の形態に作り上げることができる。積層の各部分を、縫合、溶接、接着等によって、つなぎ合わせることができる。積層の各部分を縫合した場合、ＧＯＲＥ−ＳＥＡＭ（商標）テープ（Ｗ．Ｌ．Ｇｏｒｅ  ａｎｄ  Ａｓｓｏｃｉａｔｅｓ，Ｉｎｃ．から入手可能）等の、公知の継ぎ目シーリングテープ材料を該継ぎ目領域に適用することによって、該継ぎ目に防水性を付与することができる。さらに、接着又は溶接によって、該継ぎ目が、本質的に防水性ではない場合、該継ぎ目を防水性とするため、該継ぎ目に他の密封剤を適用することができる。
【００１４】
一度、履物アッパーの所望の形状内に形成されると、周知のシュトローベル縫合装置等を用いて、該積層アッパーをシュトローベルボードに縫合することができ、図１に具体的に説明されている閉じたアッパーを形成する。シュトローベルボードとして用いることができる好適な材料は、当業者に周知である。
【００１５】
該防水性ガスケット材料は、一般的に、履く者の足の該底部の形（又は、該履物底部に）に形成される任意の好適な材料であることができる。好適な防水性ガスケット材料類は、例えば、ポリマー材料類、ポリマー含有材料、防水性布帛類（織物又は不織布のいずれか）、防水処理された布地材等を含む。本発明の態様では、該ガスケットは、１層以上であることができる。例えば、該ガスケットは、薄いポリウレタンフィルムに取付け又は積層されているバッカー材料（不織布、ニット等）であることができる。該ポリウレタンフィルムの反対面上に、溶融しかつ流動可能な流動性接着剤を提供し、該積層アッパーと共に防水性密封及び結合を形成することができる。任意の場合において、該防水性ガスケット材料を、該閉じたアッパーの該底部の該内部表面に接着させる。該接着剤は、任意の好適な接着剤であることができる。非限定的な接着剤類には、例えば，ポリウレタン，天然ラテックスゴム、ニトリルゴム、シリコーンゴム、ブチルゴム、フッ素化ゴム、コポリエーテルポリエステル（ｃｏｐｏｌｙｅｔｈｅｒ  ｐｏｌｙｅｓｔｅｒ）、ポリエステル、エチレンビニルアセテート又はポリアミドが含まれる。本発明の態様では、該接着剤は、熱可塑性材料である。該接着剤を、該シュトローベルボードの該表面及び該アッパーの該周縁エッジ部、該防水性ガスケットの該底部表面、又は該シュトローベルボードの該表面と、該アッパーの該周縁エッジ部と、該防水性ガスケットの該底部表面とに適用することができる。本発明の態様では、あらかじめ、接着剤を該防水性ガスケットに供給することができ（上述の、層になったガスケット材料の中等）、該接着剤を、熱又は熱及び圧力の適用によって、履物作成品の当該ポイントのところで活性化することができる。該接着剤を、そのような量及び選択された位置で適用することのみが必要であり、該ガスケット及び該積層アッパー間の防水性密封を提供する。しかし、該閉じたアッパーの該底部と接している該ガスケットの表面全体を接着剤でカバーするように、接着剤を適用することが、一般的に望ましい。
【００１６】
該閉じたアッパーの該底部の該内部表面に該防水性ガスケットを接着するため、該閉じたアッパーを、裏返し、そして該ガスケットを該アッパーの底部表面に接着し、次いで、該アッパーの外側を外の配置に戻すことができる。別の実施形態では、該ガスケットを該閉じたアッパーに滑り込ませ、そして該閉じたアッパーの該底部に接着させることができる。接着に圧力を用いる場合、次いで、靴型が、該閉じたアッパー内に挿入され、該ガスケットに圧力をかけることができる。
【００１７】
美しさ、履く者の快適性向上、又は耐久性向上のいずれかのため、該積層アッパーの該内部表面に内部ライナー材料を備えることが望ましい。そのような内部ライナー材料を、該積層アッパーの該機能層に取付けるか又は接着させることができる。好適な内部ライナー材料には、例えば、上述の布地の布帛類が含まれる。
【００１８】
さらに、該防水性ガスケットを、該閉じたアッパーの該閉じた底部の該内部表面に接着した後に、必要に応じて、履く者の快適性を向上させるため、任意の好適なフットベッドを該履物内に挿入することができる。好適なフットベッド材料類は当業者に周知であり、例えば、エチレンビニルアセテート、フェルト等を含む。フットベッド類は、通常、容易に挿入され、そして／又は当該履物製品から容易に取り除かれ、したがって、交換可能である。さらに、フットベッド類を、所定の位置に接着することもできる。本発明の態様では、該防水性ガスケット材料は、フットベッドとしてはたらくことができる。例えば、該防水性ガスケット材料には、必要な防水性並びに該履く者への所望の快適性を提供する材料が含まれることができる。本発明の態様において、エチレンビニルアセテートが、特に好適である。
当然ながら、任意の好適な外底材料を、該閉じたアッパーの外側部分、該底部に取付けることができる。
【００１９】
本発明のさらなる態様では、該履物製品を完成させるため、選択的に設置されている装飾物又は機能性材料を用いた該外層材料を適用することが望ましい場合がある。例えば、スポーツシューズの場合には、ヒール・カウンター類（例えば、熱可塑性のポリウレタンから作られる）を加え、余分な回内を減少させることが望ましい場合がある。さらに、トウ領域に特別の保護を与えるため、ラバー・トウ・キャップを適用することができる。さらに、単に装飾物材料類を該外層材料上に選択的に設置して、該履物の当該外観を改良することができる。そのような選択的に設置されている装飾物又は機能性材料類を、任意の好適な様式で（例えば、接着剤、縫合等）該外層材料に取付けることができる。該材料を該外層材料に縫合する場合、防水性の水準を下げないように、注意すべきである（すなわち、防水性テープ材料又は他の密封剤を、縫合によって生じた任意の穴をカバーするように適用すべきである）。
【００２０】
「防水性履物」が意味するところを、次のように決定する。該履物を、吸取り紙の一部上に配置する。該履物の内部を、約３０ｍｍの高さまで、室温の水で満たす（該履物の当該かかと領域で、該中底から測定する）。少なくとも２時間の間、該水を、該履物中に留める。該２時間の最後に、該吸取り紙及び履物のアッパーを検査し、水が該吸取り紙または該シューアッパーの外側に達していないか測定する。次いで、水が、該吸取り紙又は該アッパーの外側に達していない場合、該履物は、防水性であるといえる。
【００２１】
本明細書で用いる場合、本発明に従う該履物を形成するために、「防水性で、透湿性の機能層」と「防水性ガスケット材」とを結合させると、上述のような「防水性」の該履物を生ずる場合には、該「防水性で、透湿性の機能層」と、該「防水性ガスケット材」とは、「防水性」であるといえる。
【００２２】
本発明の特定の実施形態が、本明細書中で具体的に説明され、そして記述されているが、本発明は、そのような具体的な説明類及び記述類には限定されるべきではない。変更及び改変が、次の特許請求の範囲に本発明の一部として組込まれ、そして具体化されることができることは明らかであろう。
【図面の簡単な説明】
【００２３】
本発明の実施は、添付の図面類と共に考慮に入れると、次の記述から明らかとなるであろう。
【図１】図１は、本発明に従う閉じたアッパーの断面図である。
【図２】図２は、本発明に従う防水性履物製品の断面図である。
【図３】図３は、本発明に従う閉じたアッパーの該底部部分の該内部表面の上面図である。
【図４】図４は、本発明に従う防水性履物製品の該底部部分の該内部表面の上面図である。
【図１】
2006514875.tif 000003
【図２】
2006514875.tif 000004
【図３】
2006514875.tif 000005
【図４】
2006514875.tif 000006
【国際調査報告】
2006514875.tif 000007